(57)【要約】【課題】ワンタッチで施錠、解除操作ができるとともに、解除の際にシール部材を破損することなく再使用可能な留め具を提供する。【解決手段】グロメット部材１１とピン部材１２とを備え、グロメット部材１１の頭部１４にピン部材１２の軸状部が貫通孔に完全に押し込まれた完全係合状態において、頭部１４の外周側から軸状部に向かってピン部材１２解除用の切欠き部を設けた留め具１０であって、ピン部材１２の軸状部とグロメット部材１１との間に弾性シール部材１９が配設されており、頭部１４には、ピン部材１２との完全係合状態において、弾性シール部材１９が圧接する壁部３５が設けられ、壁部３５は頭部１４の径方向と垂直な方向に延びており、弾性シール部材１９は壁部３５により隠蔽され、切欠き部側に露出せず、完全係合状態において、切欠き部から弾性シール部材１９を直接臨めないよう構成し、ワンタッチで施錠、解除操作ができる。【選択図】図１
2018063054.tif 000002
【特許請求の範囲】
【請求項１】
グロメット部材とピン部材とを備え、
前記グロメット部材が、貫通孔を有する頭部と、該頭部に接続すると共に前記貫通孔の延長線上周囲に、径方向に拡縮可能に設けられた複数の脚片部とを有し、
前記ピン部材が、頭部と、該頭部から延設され前記貫通孔に対して押し込まれたとき前記複数の脚片部を径方向外方に押し開く軸状部とを有しており、
前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、
前記ピン部材の軸状部とグロメット部材との間に弾性シール部材が配設されており、前記グロメット部材頭部には、前記ピン部材との完全係合状態において、前記弾性シール部材が圧接する壁部が設けられており、前記弾性シール部材は前記壁部により隠蔽され、前記切欠き部側に露出せず、前記完全係合状態において、前記切欠き部から前記弾性シール部材を直接臨めないよう構成し、
前記壁部が前記グロメット部材頭部の径方向と垂直な方向に延びていることを特徴とする留め具。
【請求項２】
グロメット部材とピン部材とを備え、
前記グロメット部材が、貫通孔を有する頭部と、該頭部に接続すると共に前記ピン部材の軸状部が貫通孔を通過する際に一旦拡径し、通過後に再度縮径して軸状部の一部と係合可能に設けられた複数の弾性爪部を内周に設けた脚片部を有し、
前記ピン部材が、頭部と、該頭部から延設され前記貫通孔に対して奥まで押し込まれたとき前記脚片部の縮径を規制する軸状部とを有しており、
前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、
前記ピン部材の軸状部上部外周に弾性シール部材が巻回されており、前記グロメット部材頭部には、前記ピン部材との完全係合状態において、前記弾性シール部材が圧接する壁部が設けられており、前記弾性シール部材は前記壁部により隠蔽され、前記切欠き部側に露出せず、前記完全係合状態において、前記切欠き部から前記弾性シール部材を直接臨めないよう構成し、
前記壁部が前記グロメット部材頭部の径方向と垂直な方向に延びていることを特徴とする留め具。
【請求項３】
請求項１または請求項２に記載の留め具において、
前記壁部は前記グロメット部材頭部の貫通孔の延長線に沿って立設され、前記ピン部材とグロメット部材の完全係合状態において、前記ピン部材頭部下面と当接して、前記ピン部材の下降を規制することを特徴とする留め具。
【発明の詳細な説明】
【技術分野】
【０００１】
この発明は、水密性を必要とするパネル等の締結に使用する留め具に関し、特に点検口のように何度も着脱が予想される部位の止水効果（シール性）を保持できる留め具に関するものである。
【背景技術】
【０００２】
例えば、水密性を有する留め具は、特許文献１に示すように貫通孔を有する頭部と頭部から延設され前記貫通孔の周囲に拡縮可能に設けられた複数の脚片部とを有するグロメット部材と、頭部と前記貫通孔に押し込まれた際に前記脚片部を径方向外方に押し開く軸状部とを有するピン部材とを備え、前記軸状部の周囲に弾性シール部材により、水密性を保持するように構成されている。
このように構成された留め具は、仮組されたグロメット部材とピン部材を取付部材と被取付部材に形成された取付孔に挿入した後、ピン部材を押し込むことにより脚片部が径方向外側に拡開されて固定できる。
【先行技術文献】
【特許文献】
【０００３】
【特許文献１】特開２００３−８３３１３号公報
【発明の概要】
【発明が解決しようとする課題】
【０００４】
しかし、引用文献１に示すような従来の留め具は、取り外す場合にマイナスドライバー等の工具を使用する場合が多く、工具の先端で弾性シール部材を破損させて、水密性を要求される部位では再使用できない虞が存在した。
【０００５】
この発明は、上記したような不都合を解消するためになされたもので、グロメット部材とピン部材とから成り、前記グロメット部材或いはピン部材の頭部にピン部材解除用の切欠き部を設けた留め具であって、前記ピン部材の軸状部が前記グロメット部材の貫通孔に完全に押し込まれた完全係合状態において、前記グロメット部材或いはピン部材頭部の切欠き部からピン部材とグロメット部材との間に配設された弾性シール部材を直接臨めないよう構成したので、解除の際にシール部材を工具等で破損することなく、シール性を保持したまま何度でも再使用できる留め具を提供するものである。
【課題を解決するための手段】
【０００６】
この発明は、以下のような内容である。
（１）
グロメット部材とピン部材とを備え、前記グロメット部材が、貫通孔を有する頭部と、該頭部に接続すると共に前記貫通孔の延長線上周囲に、径方向に拡縮可能に設けられた複数の脚片部とを有し、前記ピン部材が、頭部と、該頭部から延設され前記貫通孔に対して押し込まれたとき前記複数の脚片部を径方向外方に押し開く軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、前記ピン部材の軸状部とグロメット部材との間に弾性シール部材が配設されており、前記グロメット部材頭部には、前記ピン部材との完全係合状態において、前記弾性シール部材が圧接する壁部が設けられており、前記弾性シール部材は前記壁部により隠蔽され、前記切欠き部側に露出せず、前記完全係合状態において、前記切欠き部から前記弾性シール部材を直接臨めないよう構成し、前記壁部が前記グロメット部材頭部の径方向と垂直な方向に延びていることを特徴とする留め具。
（２）
グロメット部材とピン部材とを備え、前記グロメット部材が、貫通孔を有する頭部と、該頭部に接続すると共に前記ピン部材の軸状部が貫通孔を通過する際に一旦拡径し、通過後に再度縮径して軸状部の一部と係合可能に設けられた複数の弾性爪部を内周に設けた脚片部を有し、前記ピン部材が、頭部と、該頭部から延設され前記貫通孔に対して奥まで押し込まれたとき前記脚片部の縮径を規制する軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、前記ピン部材の軸状部上部外周に弾性シール部材が巻回されており、前記グロメット部材頭部には、前記ピン部材との完全係合状態において、前記弾性シール部材が圧接する壁部が設けられており、前記弾性シール部材は前記壁部により隠蔽され、前記切欠き部側に露出せず、前記完全係合状態において、前記切欠き部から前記弾性シール部材を直接臨めないよう構成し、前記壁部が前記グロメット部材頭部の径方向と垂直な方向に延びていることを特徴とする留め具。
（３）
（１）または（２）に記載の留め具において、前記壁部は前記グロメット部材頭部の貫通孔の延長線に沿って立設され、前記ピン部材とグロメット部材の完全係合状態において、前記ピン部材頭部下面と当接して、前記ピン部材の下降を規制することを特徴とする留め具。
なお、本発明の留め具は、次の構成であってもよい。
（４）
グロメット部材とピン部材とを備え、前記グロメット部材が、貫通孔を有する頭部と、該頭部に接続すると共に前記貫通孔の延長線上周囲に、径方向に拡縮可能に設けられた複数の脚片部とを有し、前記ピン部材が頭部と、該頭部から延設され前記貫通孔に対して押し込まれたとき前記複数の脚片部を径方向外方に押し開く軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、前記ピン部材の軸状部とグロメット部材との間に弾性シール部材が配設されており、前記完全係合状態において、前記切欠き部から前記弾性シール部材を直接臨めないよう構成したことを特徴とする留め具。
（５）
グロメット部材とピン部材とを備え、前記グロメット部材が、貫通孔を有する頭部と、該頭部に接続すると共に前記ピン部材の軸状部が貫通孔を通過する際に一旦拡径し、通過後に再度縮径して軸状部の一部と係合可能に設けられた複数の弾性爪部を内周に設けた脚片部を有し、前記ピン部材が、頭部と該頭部から延設され前記貫通孔に対して奥まで押し込まれたとき前記脚片部の縮径を規制する軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かって前記ピン部材解除用の切欠き部を設けた留め具であって、前記ピン部材の軸状部上部外周に弾性シール部材が巻回されており、前記完全係合状態において、前記グロメット部材の切欠き部から前記弾性シール部材を直接臨めないよう構成したことを特徴とする留め具。
（６）
（４）または（５）に記載の留め具において、前記グロメット部材頭部には、前記ピン部材との完全係合状態において、前記弾性シール部材が圧接する壁部が設けられており、前記弾性シール部材は前記壁部により隠蔽され、前記切欠き部側に露出しないことを特徴とする留め具。
（７）
（６）に記載の留め具において、前記壁部は前記グロメット部材頭部の貫通孔の延長線に沿って立設され、前記ピン部材とグロメット部材の完全係合状態において、前記ピン部材頭部下面と当接して、前記ピン部材の下降を規制することを特徴とする留め具。
（８）
（６）または（７）に記載の留め具において、前記壁部は、グロメット部材頭部であって、前記貫通孔の想像外周線から径方向及び脚部立設方向に凹設され、前記グロメット部材頭部に形成された切欠き部の水平位置より脚片部方向下位置に設けられた凹部周面であることを特徴とする留め具。
【発明の効果】
【０００７】
この発明によれば、前記壁部が前記グロメット部材頭部の径方向と垂直な方向に延びているため、工具を使用して解除する場合に、工具を壁部に当てやすい。
また、この発明によれば、グロメット部材とピン部材とを備え、前記グロメット部材が、貫通孔を有する頭部と、該頭部に接続すると共に前記貫通孔の延長線上周囲に、径方向に拡縮可能に設けられた複数の脚片部とを有し、前記ピン部材が頭部と、該頭部から延設され前記貫通孔に対して押し込まれたとき前記複数の脚片部を径方向外方に押し開く軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かってピン部材解除用の切欠き部を設けた留め具であって、前記ピン部材の軸状部とグロメット部材との間に弾性シール部材が配設されており、前記完全係合状態において、前記切欠き部から前記弾性シール部材を直接臨めないよう構成したので、工具を使用して解除する場合に工具が弾性シール部材に直接接触することがなく、弾性シール部材を破損することがない。したがって、シール性を損なうことなく、留め具を再度使用することができる。
また、この発明によれば、グロメット部材とピン部材とを備え、前記グロメット部材が、貫通孔を有する頭部と、該頭部に接続すると共に前記ピン部材の軸状部が貫通孔を通過する際に一旦拡径し、通過後に再度縮径して軸状部の一部と係合可能に設けられた複数の弾性爪部を内周に設けた脚片部を有し、前記ピン部材が、頭部と該頭部から延設され前記貫通孔に対して奥まで押し込まれたとき前記脚片部の縮径を規制する軸状部とを有しており、前記グロメット部材と前記ピン部材の頭部の少なくともいずれか一方には前記ピン部材の軸状部が前記貫通孔に完全に押し込まれた完全係合状態において、前記頭部外周側から前記軸状部に向かって前記ピン部材解除用の切欠き部を設けた留め具であって、前記ピン部材の軸状部上部外周に弾性シール部材が巻回されており、前記完全係合状態において、前記グロメット部材の切欠き部から前記弾性シール部材を直接臨めないよう構成したので、工具を使用して解除する際に工具が弾性シール部材に直接接触することがなく、弾性シール部材を破損する虞がない。したがって、留め具のシール性を損なうことなく、再使用が可能である。
また、前記グロメット部材頭部には、前記ピン部材との完全係合状態において、前記弾性シール部材が圧接する壁部が設けられており、前記弾性シール部材は前記壁部により隠蔽され、前記切欠き部側に露出しないので、工具によって弾性シール部材を破損する虞がない。
また、前記壁部は前記グロメット部材頭部の貫通孔の延長線に沿って立設され、前記ピン部材とグロメット部材の完全係合状態において、前記ピン部材頭部下面と当接して、前記ピン部材の下降を規制するので、脚片部の拡開状態が保持され取付部材を水密状態で取付けることができる。
また、前記壁部は、グロメット部材頭部であって、前記貫通孔の想像外周線から径方向及び脚部立設方向に凹設され、前記グロメット部材頭部に形成された切欠き部の水平位置より脚片部方向下位置に設けられた凹部周面であるので、弾性シール部材の周囲が囲蔽されて工具によって弾性シール部材を破損する虞がない。
【図面の簡単な説明】
【０００８】
【図１】本発明の一実施の形態である留め具の全体構成を示す正面図である。
【図２】同留め具を示す右側面図である。
【図３】同留め具を構成するグロメット部材を示す左側面図である。
【図４】同留め具を構成するグロメット部材を示す正面図である。
【図５】同留め具を構成するグロメット部材を示す右側面図である。
【図６】同留め具を構成するグロメット部材を示す縦断面図である。
【図７】同留め具を構成するピン部材を示す正面図である。
【図８】同留め具を構成するピン部材を示す右側面図である。
【図９】図７のＡ部を示す拡大図である。
【図１０】同留め具を構成する弾性シール部材の正面図である。
【図１１】図１０のＢ−Ｂ線断面図である。
【図１２】同留め具に使用されるパッキンの正面図である。
【図１３】同留め具に使用されるパッキンの側面図である。
【図１４】同留め具の上板（取付部材）へ仮止め状態を示す説明図である。
【図１５】同留め具の上板（取付部材）と下板（被取付部材）への仮止め状態を示す説明図である。
【図１６】同留め具の本止め状態を示す説明図である。
【図１７】本発明の第２の実施の形態を示す要部断面図である。
【図１８】本発明の第３の実施の形態を示す要部断面図である。
【発明を実施するための形態】
【０００９】
本発明は、グロメット部材とピン部材とから成り、前記グロメット部材或いはピン部材の頭部にピン部材解除用の切欠き部を設けた留め具であって、前記ピン部材の軸状部が前記グロメット部材の貫通孔に完全に押し込まれた完全係合状態において、前記グロメット部材或いはピン部材頭部の切欠き部からピン部材とグロメット部材との間に配設された弾性シール部材を直接臨めないよう構成したので、解除の際にシール部材を工具等で破損することなく、シール性を保持したまま再使用できる。
【実施例１】
【００１０】
以下、一実施の形態を示す図面に基づいて本発明を詳細に説明する。図１は本発明の一実施の形態である留め具の全体構成を示す正面図、図２は本発明の留め具を示す右側面図である。ここで、本発明の留め具１０は、グロメット部材１１とピン部材１２とを備え、前記グロメット部材１１が、貫通孔１３を有する頭部１４と、該頭部１４に接続すると共に前記貫通孔１３の周囲に、拡縮可能に設けられる複数の脚片部１５とを有し、前記ピン部材１２が頭部１６と、該頭部１６から延設され前記貫通孔１３に対して押し込まれたとき前記複数の脚片部１５を径方向外方に押し開く軸状部１７とを有しており、前記グロメット部材１１と前記ピン部材１２の頭部１４、１６の少なくともいずれか一方には前記ピン部材１２の軸状部１７が前記貫通孔１３に完全に押し込まれた完全係合状態において、前記頭部外周側から前記軸状部１７に向かってピン部材解除用の切欠き部１８を設けた留め具であって、前記ピン部材１２の軸状部上部外周に弾性シール部材１９が巻回されており、前記完全係合状態において、前記グロメット部材１１の切欠き部１８から前記弾性シール部材１９を直接臨めないよう構成されている。また、グロメット部材１１の頭部１４の直下には、環状シール部材２０が配設されており、取付部材とグロメット部材１１との水密性を保持している。
【００１１】
図３〜図６に示すようにグロメット部材１１は、合成樹脂等からなり、頭部１４及び脚片部１５を有している。頭部１４は、脚片部１５の上端に一体形成されており、略円盤状をしている。頭部１４の中央には円形の貫通孔１３が穿設されており、貫通孔１３の外周延長線に沿って環状の壁部３５が立設されている。したがって、壁部３５は、円盤状の頭部から所定の高さに、貫通孔１３の周囲を覆うように形成されている。また、頭部１４の外周に沿ってフランジ２１が立設されている。フランジ２１の高さは、壁部３５の高さより高く形成されている。また、フランジ２１の内側には、段部２１ａが形成されている。更に、フランジ２１は、適宜箇所で盤面の高さに切欠かれて、外周側から前記軸状部に向かってピン部材解除用の切欠き部１８が形成されている。また、フランジ２１の内周には、ピン部材１２の頭部１６が収納可能である。尚、壁部３５は、ピン部材解除用の切欠き部１８に対向する部位にのみ形成してもよい。
【００１２】
脚片部１５は、貫通孔１３と連通した空洞を有した概略筒形をしており、頭部１４と一体形成されている。また、脚片部１５は、等間でそれぞれ軸線方向へ延びている４本のスリット２２により４つの脚片２３に分割されている。脚片部１５は、外周に取付部材等と係合可能な第１段部２４を有すると共に拡開状態で被取付部材と係合する第２段部２５を有している。また、先端には、先細りのテーパー部が形成されている。各脚片２３は、内周に略中央に下向き（図中右向き）のテーパを有した弾性爪部２６と弾性爪部２６と所定の間隔を有して下向き（図中右向き）のテーパー部２７を有しており、それぞれのテーパー部２７は細径の空洞２８に連通している。また、細径の空洞２８部では、脚片２３同士の間が最小隙間となっている。
【００１３】
図７〜図９に示すようにピン部材１２は、頭部１６と軸状部１７とが一体的に構成され、頭部１６は略円盤状をしている。また、頭部１６の頂部は、凹溝状に形成されて指等で押圧し易い形状となっている。軸状部１７の上端で頭部１６の近傍には、弾性シール部材１９をセットする環状の凹溝２９が形成されている。また、軸状部１７には、中央から先端に向かって細径部３０ａとこれに続く先端には、太径部３０ｂが形成されている。また、図７、９に示すように太径部３０ｂには、環状の溝部３６が形成されている。
【００１４】
図１０〜図１１に示すように弾性シール部材１９は、Ｏリング等の合成ゴムや軟質樹脂材から構成され、略ドーナツ状をした断面が略円形に形成されている。
【００１５】
図１２、図１３に示すように環状シール部材２０は、発泡ポリスチレン等の発泡体であり、グロメット部材１１の頭部１４の直下外周に保持される形状となっている。材質は、発泡体以外にゴムや軟質樹脂材であってもよい。形状的には、中央に孔２０ａを有した略ドーナツ状をした平面円盤状に形成されている。
【００１６】
次に、以上のように構成された留め具１０の使用状態を図１４〜図１６に従って説明する。図１４において、仮止め状態の留め具１０を上板（取付部材）３１の取付孔３２に差し込む。この時、脚片部１５の弾性爪部２６は、軸状部１７の細径部３０ａの先端に係合しており、脚片部１５が最小外径を保っている。図１５において、下板（被取付部材）３３の取付孔３４にも挿入する。図１６に示す本止め状態では、ピン部材１２が挿入されて、ピン部材１２の軸状部１７が貫通孔１３に完全に押し込まれた完全係合状態であり、軸状部１７の太径部３０ｂがテーパー部２７に乗り上げて脚片２３を拡開する。脚片２３外周の第２段部２５は、下板３３の端部と係合して上板３１、下板３３同士を固定締結することができる。
【００１７】
また、本構造では、本止め状態において、弾性シール部材１９が頭部１６（凹溝２９）の外周と環状の壁部３５の間で強く押圧され、押し潰される。つまり、弾性シール部材１９は、図１６に示すごとくピン部材１２の凹溝２９の外周で押し潰されて環状の壁部３５に圧接されるため、ピン部材１２とグロメット部材１１との間の水密性が確実に維持される。また、環状シール部材２０も上板３１と頭部１４の間で押し潰され、上板３１とグロメット部材１１との間の水密性も維持される。
【００１８】
次に、本止め状態を解除する場合は、工具を使用して切欠き部１８からピン部材１２の頭部１６を押し上げる。この際、グロメット部材１１とピン部材１２との完全係合状態において、弾性シール部材１９が圧接する壁部３５が設けられており、弾性シール部材１９は壁部３５により隠蔽され、切欠き部１８側に露出せず、工具が直接接触することがない。したがって、弾性シール部材１９を破損することがない。このため、留め具１０のシール性を損なうことなく、留め具を再度使用することができる。
【００１９】
図１７は、本発明の第２の実施の形態を示す要部断面図である。本実施の形態において、壁部３７は、グロメット部材１１の頭部１４であって、貫通孔１３の想像外周線Ｋから径方向及び脚部立設方向に凹設され、グロメット部材１１の頭部１４に形成された切欠き部１８の水平位置Ｈより脚片部方向下位置に設けられた凹部周面として形成されている。このように構成した場合であっても、切欠き部１８から工具を差し込んでも壁部３７に収納された弾性シール部材１９に触れる虞がないので、弾性シール部材１９を破損することがない。また、壁部３７の上端部に突起（アンダーカット）を設け、弾性シール部材１９の抜け止めとしてもよい。
【００２０】
図１８は、本発明の第３の実施の形態を示す要部断面図である。本実施の形態においては、グロメット部材１１に形成した壁部３５の内周に沿って環状の凹部３８を設け、この凹部３８内に弾性シール部材１９を収納してもよい。このように構成した場合であっても、切欠き部１８から工具を差し込んでも壁部３５内に収納された弾性シール部材１９に触れる虞がないので、弾性シール部材１９を破損することがない。
【００２１】
本発明は上述の実施例に限定されることなく、特許請求の範囲の記載に基づいて種々の設計変更が可能である。
【符号の説明】
【００２２】
１０        留め具
１１        グロメット部材
１２        ピン部材
１３        貫通孔
１４        頭部
１５        脚片部
１６        頭部
１７        軸状部
１８        切欠き部
１９        弾性シール部材
１９ａ、ｂ  突出部
２０        環状シール部材
２１        フランジ
２２        スリット
２３        脚片
２４        第１段部
２５        第２段部
２６        弾性爪部
２７        テーパー部
２８        細径の空洞
２９        凹溝
３０ａ      細径部
３０ｂ      太径部
３１        上板（取付部材）
３２        取付孔
３３        下板（被取付部材）
３４        取付孔
３５        壁部
３６        溝部
３７        壁部
３８        凹部
【図１】
2018063054.tif 000003
【図２】
2018063054.tif 000004
【図３】
2018063054.tif 000005
【図４】
2018063054.tif 000006
【図５】
2018063054.tif 000007
【図６】
2018063054.tif 000008
【図７】
2018063054.tif 000009
【図８】
2018063054.tif 000010
【図９】
2018063054.tif 000011
【図１０】
2018063054.tif 000012
【図１１】
2018063054.tif 000013
【図１２】
2018063054.tif 000014
【図１３】
2018063054.tif 000015
【図１４】
2018063054.tif 000016
【図１５】
2018063054.tif 000017
【図１６】
2018063054.tif 000018
【図１７】
2018063054.tif 000019
【図１８】
2018063054.tif 000020